(57)【要約】空気調和装置の室外機は、室外機筐体内が仕切板によって区画され、圧縮機とこの圧縮機の上方に配置される電気部品箱が収納される機械室と、室外熱交換器と送風機が収納される熱交換室を備え、電気部品箱の下側面部にオプション基板が取り付けられる。【特許請求の範囲】
【請求項１】
仕切板により内部を２区画に区分された室外機筐体と、
前記仕切板により区画された筐体の一方側に設けた機械室と、
前記仕切板により区画された筐体の他方側に設けた熱交換室を備え、
前記熱交換室には、室外熱交換器と送風機を収納し、前記機械室には、室外機筐体底板上に設けられた圧縮機とこの圧縮機の上方に配置される電気部品箱を収納し、前記電気部品箱の下側面部にオプション基板を取り付けることを特徴とする空気調和装置の室外機。
【請求項２】
前記オプション基板収納箱は板金折り曲げ加工された箱体に形成されており、オプション基板が載置される底面、後側面及び左右の側面と、この左右側面から延出する固定片で形成されていることを特徴とする請求項１に記載の空気調和装置の室外機。
【請求項３】
前記オプション基板は、前記電気部品箱の底面部に面する側面が略開口した箱体に収納されていることを特徴とする請求項１に記載の空気調和装置の室外機。
【発明の詳細な説明】
【技術分野】
【０００１】  空気調和機の室外機に係り、特に、オプション基板の取付構造を改良した空気調和装置の室外機に関する。
【背景技術】
【０００２】  従来、空気調和機の室外機の構造は、室外機筐体内に、仕切板を用いて、圧縮機などを配置した圧縮機室と、送風機、室外熱交換器を配置した送風機室とを区画形成すると共に、仕切板の上端部に圧縮機室と送風機室に跨って制御基板などの電気部品を収納した箱状の電気部品箱を設置した構造を採っている。【０００３】  この種の空気調和機は現地据付後に多機能化が求められることがあり、作業者は、現地の空気調和機の室外機の電気部品箱に要求に応じた機能拡張用のオプション機器を取り付ける必要性が生じる。【０００４】  このため、従来構造の室外機では、機能拡張用のオプション基板を電気部品箱の内部に組み込んで、これらの要望に応えていた（特開２００３−２９４２７２号公（報特許文献１）参照）。しかし、この特許文献１に記載の構造では、オプション基板の追加、交換作業を容易に行うことが難しく、また、オプション基板を収納するためのスペースが必要であり、その分、電気部品箱が大型になっていた。【０００５】  なお、室外機の小型化のために、オプション基板を室外機筐体の蓋体から外方に突設した収納部に収納するものも知られている（特開平６−２８９０号公報（特許文献２）参照）が、この種の構造では、外観上、また防水性上の問題を考慮する必要があった。【０００６】発明の開示
本発明は上述した事情を考慮してなされたもので、オプション基板の追加、交換作業が容易な空気調和機の室外機を提供することを目的とする。【０００７】  上述した目的を達成するため、本発明に係る空気調和装置の室外機は、仕切板により内部を２区画に区分された室外機筐体と、
前記仕切板により区画された筐体の一方側に設けた機械室と、
前記仕切板により区画された筐体の他方側にもうけた熱交換室を備え、
前記熱交換室には、室外熱交換器と送風機を収納し、前記機械室には、室外機筐体底板上に設けられた圧縮機とこの圧縮機の上方に配置される電気部品箱を収納し、前記電気部品箱の下側面部にオプション基板を取り付けたことを特徴とする。【０００８】  また、前記オプション基板収納箱は板金折り曲げ加工された箱体に形成されており、オプション基板が載置される底面、後側面及び左右の側面と、この左右側面から延出する固定片で形成する事が望ましい。【０００９】  さらに、前記オプション基板は、前記電気部品箱の底面部に面する側面が略開口した箱体に収納されることが望ましい。【００１０】  本発明に係る空気調和装置の室外機によれば、オプション基板の追加、交換作業が容易な空気調和機の室外機を提供することができる。【００１１】  また、オプション基板収納箱は電気部品箱の外部の下側面部に設けられるので、オプション基板は室外制御基板やインバータ基板からの熱の影響を受け難く、オプション基板を内部に取り付ける場合に比べて設計が容易になる。また、オプション基板収納箱の防水性などあまり考慮しなくても良い。また、オプション収納箱の構造を簡素化できるのでコスト低減が可能となる。【００１２】  また、オプション基板収納箱は電気部品箱の取付片に取り付けられているので、取付片によりオプション基板が前面から見えなくなり、不用意にオプション基板の設定が変えられることがない。
【発明を実施するための最良の形態】
【００１３】  以下、本発明に係る空気調和装置の室外機の一実施形態について添付図面を参照して説明する。尚、以下の記載に於いて、上下、左右等、方向を示す表現は図示の状態、又は室外機の実際の据付状態に基づき述べられている。【００１４】  図１乃至図３に示すように、本実施形態の空気調和機の室外機１は、室外機筐体２を備え、この室外機筐体２は底板３と、この底板３から立設され吹出口４ａが設けられた前側板４と、この前側板４に連設されかつ、底板３から立設され熱交換器１４の背面側端部１４ａまでを覆う側板５と、底板３から設立され熱交換器１４の角部に対向して設けられる支柱６と、前側板４、側板５および支柱６によって区画される上部開口を覆うように載置された天板７で構成されている。【００１５】  また、側板５、支柱６、前側板４に渡って熱交換器１４を保護するワイヤーガード（図示せず）が熱交換器１４に対向して設けられている。【００１６】  また、図２に示すように、前側板４は分割されてサービスパネル８が設けられ、このサービスパネル８を外すことにより、後述の機械室１２内部が露呈するようになっており、さらに、前側板４の吹出口４ａにはファンガード４ｂが取り付けられている。【００１７】  室外機筐体２前面下隅部には据付現地で配管を後述する機械室１２内部へ引き込むための前側配管用パネル９ａが設けられ、同様に一側面下部には後側配管パネル９ｂが設けられている。【００１８】  図３に示すように、室外機筐体２内は仕切板１０によって、熱交換室１１と機械室１２に区画されている。【００１９】  熱交換室１２には底板３上に載置されて送風機１３、熱交換器１４が収容され、この熱交換器１４は、室外機１の背面側と一側面側に面するように平面視でＬ字形状をなし、背面側端部１４ａが側板５に固定され、前面側端部１４ｂが前側板４に固定される。【００２０】  送風機１３は下部が底板３に固定され、上部の一端が天板７の背面側に固定され、他端が前板４に固定されたモータベース１５に取り付けられている。【００２１】  また、機械室１２には底板３上に載置されて圧縮機１６、アキュムレータ１７、現地での配管接続バルブ１８、電気部品箱２０、冷媒配管等が収容されている。電気部品箱２０は、仕切板１０の上部近傍の機械機室１３に設けられており、仕切板１０の上部近傍の熱交換室１１上部には電気部品箱２０を冷却した空気が流れるダクト１９が設けられている。また、室外機筐体２の下隅部に設けられた後側配管パネル９ｂには、機械室１２内部へ外気を取り入れるための通気孔９ｃが設けられている。【００２２】  図２及び図３に示すように、現地配管接続バルブ１８及び電気部品箱２０はサービスパネル８に対向して配置されており、このサービスパネル８を外すことにより、容易に保守点検などの作業が行えるようになっている。【００２３】  図４〜図６に示すように、電気部品箱２０は、電気部品冷却用の空気取入口２０ａ（図３）及びダクト１９に連通する吹出口２０ｂが設けられた箱状をなし、前側面２０ｃの外表面には端子台２１、室外制御基板２２ａが取り付けられ、さらに、電気部品箱２０の内部には、圧縮機駆動制御用基板（インバータ）２２ｂが収納されている。【００２４】  送風機１３の働きにより、通気孔９ｃ（図１）から熱交換室１２内部に取り込まれた外気は、空気取入口２０ａから電気部品箱２０に取り入れられ、吹出口２０ｂ、ダクト１９を介して熱交換室１１に吹き出されるようになっている。【００２５】  また、電気部品箱２０の下側面２０ｄの外側（反電気部品箱側）に機能拡張用のオプション基板収納箱２３が取り付けられるように、電気部品箱２０の前側面２０ｃには下側面２０ｄよりも下方に延出した取付片２０ｅが設けられている。【００２６】  図６に示されるようにオプション基板収納箱２３は板金折り曲げ加工された箱体であり、オプション基板２４が載置される底面２３ａ、後側面２３ｂ及び左右の側面２３ｃ、２３ｄと、この左右側面から延出する固定片２３ｃ１、２３ｄ１で形成され、電気部品箱２０の下側面２０ｄおよび取付片２０ｅに面する部分は略開放されている。【００２７】  オプション基板収納箱２３は、側面２３ｃ、２３ｄに設けられた固定片２３ｃ１、２３ｄ１を電気部品箱２０の取付片２０ｅにネジなどによって固定することにより、電気部品箱２０の下側面２０ｄの外側に取り付けられる。なお、オプション基板収納箱２３には、オプション基板固定具２３ｅ、配線導出部２３ｆが設けられている。【００２８】  このように、オプション基板収納箱２３は電気部品箱２０の外部の下側面部に設けられるので、オプション基板２４は室外制御基板２２ａやインバータ基板２２ｂからの熱の影響を受け難く、オプション基板２４を内部に取り付ける場合に比べて設計が容易になる。また、オプション基板収納箱２３の防水性などあまり考慮しなくても良い。また、オプション収納箱２７の構造を簡素化できるのでコスト低減が可能となる。【００２９】  また、オプション基板収納箱２３は電気部品箱の取付片２０ｅに取り付けられているので、取付片２０ｅによりオプション基板２４が前面から見えなくなり、不用意にオプション基板２４の設定が変えられることがない。【００３０】  本空気調和装置の室外機１に対してオプション基板２４の追加あるいは交換等を行う場合には、図３に示すように、室外機筐体２の前側に設けられたサービスパネル８を外すと、電気部品箱２０が露出するので、電気部品箱２０の下側面２０ｄに取り付けられたオプション基板収納箱２３を容易に取り外すことができ、オプション基板収納箱２３のオプション基板２４の追加、交換などを容易に行うことができる。【００３１】  本実施形態の空気調和装置の室外機によれば、オプション基板の追加、交換作業の容易化と、電気部品箱の小形化による室外機の小型化と、この小型化によるコストの低減化及びオプション基板が電気部品から発生する熱の影響を受け難い空気調和機の室外機が実現される。
【図面の簡単な説明】
【００３２】
【図１】本発明に係る空気調和装置の室外機の斜視図。
【図２】本発明に係る空気調和装置の室外機のサービスパネルを除去して示す斜視図。
【図３】本発明に係る空気調和装置の室外機の筐体を除去して示す斜視図。
【図４】本発明に係る空気調和装置の室外機に用いられる電気部品箱の側面図。
【図５】図４のＶ−Ｖ線に沿う断面図。
【図６】本発明に係る空気調和装置の室外機に用いられるオプション基板収納箱の斜視図。
【図１】
2006068147.tif 000002
【図２】
2006068147.tif 000003
【図３】
2006068147.tif 000004
【図４】
2006068147.tif 000005
【図５】
2006068147.tif 000006
【図６】
2006068147.tif 000007
【国際調査報告】
2006068147.tif 000008
2006068147.tif 000009